(57)【要約】  本発明の実施形態は、カードコネクタ、カードホルダ及び端末デバイスを開示する。カードコネクタは、複数の第１の端子と、１つ又は複数第２の端子とを備える。複数の第１の端子は、第１のカードアクセス領域を形成するように配置され、第１のカードアクセス領域は、第１のカードを取り付けるのに用いられ、複数の第１の端子は、第１のカードに電気的に接続されるように構成される。１つ又は複数第２の端子は、第１のカードアクセス領域の周囲に割り振られ、複数の第１の端子及び１つ又は複数の第２の端子は、共同で第２のカードアクセス領域を形成し、第２のカードアクセス領域は第２のカードを取り付けるのに用いられ、第１の端子及び第２の端子は、全て第２のカードに電気的に接続されるように構成される。
2022502824.tif 000002
【特許請求の範囲】
【請求項１】
複数の第１の端子と、１つ又は複数の第２の端子とを備えるカードコネクタであって、前記複数の第１の端子は、第１のカードアクセス領域を形成するよう配置され、前記第１のカードアクセス領域は、第１のカードを取り付けるのに用いられ、前記複数の第１の端子は、前記第１のカードに電気的に接続されるように構成され、前記１つ又は複数の第２の端子は、前記第１のカードアクセス領域の周囲に割り振られ、前記複数の第１の端子及び前記１つ又は複数の第２の端子は、共同で第２のカードアクセス領域を形成し、前記第２のカードアクセス領域は、第２のカードを取り付けるのに用いられ、前記複数の第１の端子及び前記複数の第２の端子は、全て、電気的に前記第２のカードに接続されるように構成される、カードコネクタ。
【請求項２】
前記カードコネクタは、さらに絶縁物体を備え、各第１の端子は、固定端部及び弾性端部を有し、前記固定端部は固定的に前記絶縁物体に接続され、前記弾性端部は、弾性的に前記絶縁物体の表面に対して突出し、且つ前記第１のカード又は前記第２のカードに当接するように構成され、前記固定端部は、第１の方向において前記弾性端部の前側又は裏側に位置し、前記１つ又は複数の第２の端子は、前記第１の方向において前記第１のカードアクセス領域の前側及び／又は裏側に位置し、前記第１の方向は前記第１のカード又は前記第２のカードの挿入方向に垂直である、請求項１に記載のカードコネクタ。
【請求項３】
２つの第２の端子が存在し、前記２つの第２の端子は、前記第１のカードアクセス領域の２つの側に割り振られる、請求項２に記載のカードコネクタ。
【請求項４】
各第２の端子は、連結端及び当接端部を有し、前記連結端は、固定的に前記絶縁物体に接続され、前記当接端部は、弾性的に前記絶縁物体の前記表面に対して突出し、且つ前記第２のカードに当接するように構成され、前記第１のカードアクセス領域は矩形で、２つの前記当接端部は、それぞれ前記第１のカードアクセス領域の２つの隣接する角部の周囲に位置する、請求項３に記載のカードコネクタ。
【請求項５】
前記カードコネクタは、さらに絶縁物体を備え、各第１の端子は、固定端部及び弾性端部を有し、前記固定端部は固定的に前記絶縁物体に接続され、前記弾性端部は、弾性的に前記絶縁物体の表面に対して突出し、且つ前記第１のカード又は、前記第２のカードに当接するように構成され、前記固定端部は、第２の方向において前記弾性端部の前側又は裏側に位置し、前記１つ又は複数の第２の端子及び前記第１のカードアクセス領域は、前記第２の方向において並んで配置され、前記第２の方向は、前記第１のカード又は前記第２のカードの挿入方向である、請求項１に記載のカードコネクタ。
【請求項６】
２つの第２の端子が存在し、前記２つの第２の端子は前記第１のカードアクセス領域の同じ側に割り振られる、請求項５に記載のカードコネクタ。
【請求項７】
ハウジングと、請求項１から６のいずれか一項に記載のカードコネクタの少なくとも１つとを備えるカードホルダであって、収容スペースは、前記ハウジング内に配置され、前記カードコネクタは、前記収容スペース内に固定される、カードホルダ。
【請求項８】
２つのカードコネクタが存在し、前記２つのカードコネクタは、向かい合って配置され、前記２つのカードコネクタの間には、スロットが形成され、前記２つのカードコネクタの第１の端子及び第２の端子は、全て弾性的に前記スロットに向かって突出し、第１のカード及び第２のカードは同時に前記スロット内に取り付けられ得、且つ一対一の対応関係で前記２つのカードコネクタに電気的に接続される、請求項７に記載のカードホルダ。
【請求項９】
前記カードホルダはさらにカードトレイを備え、前記カードトレイは受け板を有し、前記受け板の前面及び後面の両方は、前記第１のカード及び／又は前記第２のカードを受けるのに用いられ、前記受け板は、前記カードトレイが前記スロットに挿入されるとき、カスケード方式で前記２つのカードコネクタの間に配置され、前記受け板には間隙が配置され、前記間隙は前記第１の端子及び前記第２の端子を回避するのに用いられる、請求項８に記載のカードホルダ。
【請求項１０】
前記受け板は、金属材料を用いる、請求項９に記載のカードホルダ。
【請求項１１】
前記カードトレイはさらに、前記受け板を囲む絶縁フレームと弾性コンポーネントとを有し、前記弾性コンポーネントは、固定部及び弾性部を含み、前記固定部は、前記カードトレイに固定され、前記弾性部は、前記受け板に延在し、前記弾性部は、金属ドームと、前記金属ドームに接続され、且つ前記第１のカード及び／又は前記第２のカードに当接するように構成される絶縁体とを有する、請求項９に記載のカードホルダ。
【請求項１２】
前記絶縁体は、着脱可能に前記金属ドームに接続される、請求項１１に記載のカードホルダ。
【請求項１３】
前記絶縁体と前記受け板との間に、限定スロットが形成され、前記限定スロットは、前記第１のカードの縁及び／又は前記第２のカードの縁の拡張に用いられる、請求項１１に記載のカードホルダ。
【請求項１４】
前記絶縁体の材料は弾性であり、前記第１のカードの前記縁及び／又は前記第２のカードの前記縁が前記限定スロットに延在するとき、前記絶縁体は弾性的に変形し、前記第１のカードの前記縁及び／又は前記第２のカードの前記縁を固定する、請求項１３に記載のカードホルダ。
【請求項１５】
前記絶縁フレーム上に、ノッチが配置され、前記ノッチ及び前記弾性コンポーネントは、前記受け板の２つの反対側に向かい合って配置され、前記絶縁フレームは、前記受け板を囲むことで、収容領域を形成し、前記ノッチは、前記収容領域と前記カードトレイの外部スペースとを相互接続するのに用いられる、請求項１１に記載のカードホルダ。
【請求項１６】
回路基板と、請求項７から１５のいずれか一項に記載のカードホルダとを備える端末デバイスであって、前記カードホルダ上の前記カードコネクタは、前記回路基板に電気的に接続される、端末デバイス。
【発明の詳細な説明】
【技術分野】
【０００１】
本願は、２０１８年１０月１５日に中国国家知識産権局に出願した「カードコネクタ、カードホルダ及び端末デバイス（ＣＡＲＤ  ＣＯＮＮＥＣＴＯＲ，  ＣＡＲＤ  ＨＯＬＤＥＲ，  ＡＮＤ  ＴＥＲＭＩＮＡＬ  ＤＥＶＩＣＥ）」と題する中国特許出願２０１８１１１９９７７４．６号に基づく優先権を主張し、この中国特許出願は、参照によりその全体が本明細書に組み込まれる。
【０００２】
本発明は、カードコネクタ技術の分野に関し、より詳細には、端末デバイスのカードホルダに適用されるカードコネクタに関する。
【背景技術】
【０００３】
端末デバイス製品の発達に伴い、機能的要件を満たすように、複数のカードが端末デバイスに配置される必要がある。携帯電話がひとつの例として用いられる。通常、加入者識別モジュール（ｓｕｂｓｃｒｉｂｅｒ  ｉｄｅｎｔｉｆｉｃａｔｉｏｎ  ｍｏｄｕｌｅ、略してＳＩＭ）カード及びデータカード（例えばナノメモリカード）などは、携帯電話内に配置される必要がある。各カードは、適合するカードコネクタを要する。したがって、端末デバイス内のカードコネクタは、より大きなプレート領域を占有する必要があり、端末の内部のスペースは占有される。これにより端末の軽量化及び薄化の発達を著しく制限する。
【発明の概要】
【０００４】
本発明の複数の実施形態において解決すべき技術的課題は、カードコネクタが比較的大きなプレート領域を占有するということである。したがって、カードコネクタ、カードホルダ及び端末デバイスは、カードコネクタに占有されるプレート領域を減らすために提供される。
【０００５】
第１の様態によると、本発明の一実施形態は、複数の第１の端子と、１つ又は複数の第２の端子とを含むカードコネクタを提供する。複数の第１の端子は、第１のカードアクセス領域を形成するように配置され、第１のカードアクセス領域は、第１のカードを取り付けるのに用いられ、複数の第１の端子は、第１のカードに電気的に接続されるように構成される。１つ又は複数の第２の端子は、第１のカードアクセス領域の周囲に割り振られ、複数の第１の端子及び１つ又は複数の第２の端子は、共同で第２のカードアクセス領域を形成し、第２のカードアクセス領域は第２のカードを取り付けるのに用いられ、第１の端子及び第２の端子は、全て第２のカードに電気的に接続されるように構成される。カードコネクタは第１のカード及び第２のカードと互換性があり得、これにより、占有されるプレート領域を減らし、それにより、より多くのスペースを節約する。
【０００６】
一実装において、カードコネクタは、さらに絶縁物体を含み、各第１の端子は、固定端部及び弾性端部を含み、固定端部は、固定的に絶縁物体に接続され、弾性端部は、弾性的に絶縁物体の表面に対して突出し、第１のカード又は第２のカードに当接するように構成され、固定端部は、第１の方向において弾性端部の前側又は裏側に位置し、１つ又は複数の第２の端子は、第１の方向において第１のカードアクセス領域の前側及び／又は裏側に位置し、第１の方向は、第１のカード又は第２のカードの挿入方向に対して垂直である。複数の第１の端子及び少なくとも１つの第２の端子は、絶縁物体を用いることにより配置及び分離され、結果として、第１の端子及び第２の端子は、第１のカード又は第２のカードのチップピンに当接し得る。
【０００７】
一実装において、２つの第２の端子が存在し、２つの第２の端子は、第１のカードアクセス領域の２つの側に割り振られ、これにより第１のカードのチップピンに対応する。
【０００８】
一実装において、各第２の端子は、連結端と当接端部を含み、連結端は、絶縁物体に固定的に接続され、当接端部は、弾性的に絶縁物体の表面に対して突出し、また第２のカードに当接するように構成され、第１のカードアクセス領域は、矩形であり、２つの当接端部は、それぞれ第１のカードアクセス領域の２つの隣接する角部の周囲に位置する。このようにして、カードコネクタは、第１のカード又は第２のカードのサイズ及びチップピンに対応する。
【０００９】
一実装において、第２の端子は、長尺帯状に延在し、第２の端子の延伸方向は、第１の方向に対して垂直である。
【００１０】
一実装において、カードコネクタは、さらに絶縁物体を含み、各第１の端子は固定端部及び弾性端部を含み、固定端部は、固定的に絶縁物体に接続され、弾性端部は弾性的に絶縁物体の表面に対して突出し、第１のカード又は第２のカードに当接するように構成され、固定端部は、第２の方向において弾性端部の前側又は裏側に位置し、１つ又は複数の第２の端子及び第１のカードアクセス領域は、第２の方向において並んで配置され、第２の方向は、第１のカード又は第２のカードの挿入方向である。複数の第１の端子及び少なくとも１つの第２の端子は、絶縁物体を用いることにより配置及び分離され、結果として、第１の端子及び第２の端子は第１のカード又は第２のカードのチップピンに当接し得る。
【００１１】
一実装において、２つの第２の端子が存在し、２つの第２の端子は第１のカードアクセス領域の同じ側に割り振られる。第２の端子の弾性端部は、第２のカードが取り付けられた後、第２のカードの対応するチップピンに当接し得る。
【００１２】
一実装において、複数の第１の端子及び２つの第２の端子は全て、長尺帯状に延在し、延伸方向は全て第２の方向である。
【００１３】
第２の形態によると、本発明の一実施形態は、ハウジング及びカードコネクタを含むカードホルダを提供し、ここで収容スペースはハウジング内に配置され、カードコネクタは、収容スペース内に固定される。
【００１４】
一実装において、２つのカードコネクタが存在し、２つのカードコネクタは向かい合って配置され、スロットは２つのカードコネクタ間に形成され、２つのカードコネクタの第１の端子及び第２の端子は、全て弾性的にスロットに向かって突出し、第１のカード及び第２のカードは同時にスロット内に取り付けられ得、且つ一対一の対応関係で２つのカードコネクタに電気的に接続される。第１のカード及び第２のカードは、カスケード方式で配置されるので、カードホルダに占有される領域は、比較的大きく減らされる。したがって、２枚のカードを配置するのに必要とされるスペースは減らされ得、そして、端末デバイスの統合度は向上し、結果としてより多くのスペースが削減される。したがって、端末デバイスは、より多くの機能を実装することが可能である。
【００１５】
一実装において、カードホルダはさらにカードトレイを含み、カードトレイは受け板を含み、受け板の前面と後面の両方は、第１のカード及び／又は第２のカードを受けるのに用いられ、カードトレイがスロットに挿入されるとき、受け板は、カスケード方式で２つのカードコネクタ間に配置され、間隙は受け板に配置され、間隙は第１の端子及び第２の端子を回避するのに用いられる。間隙は、カードコネクタ上の第１の端子又は第２の端子が弾性的に突出し、且つ受け板と接触することにより生じる短絡などの障害を防ぐために用いられてよい。
【００１６】
一実装において、受け板は金属材料を用いる。これにより、受け板は十分強固であり、割れにくく又は変形しにくく、その結果、受け板は第１のカード又は第２のカードをサポートすることができる。
【００１７】
一実装において、カードトレイは、さらに受け板を囲む絶縁フレーム及び弾性コンポーネントを含み、弾性コンポーネントは固定部と弾性部を含み、固定部はカードトレイに固定され、弾性部は受け板に延在し、弾性部は金属ドームと、第１のカード及び／又は第２のカードに当接するように構成され、且つ金属ドームに接続される絶縁体とを含む。弾性部及び固定部の協働によって、第１のカード及び／又は第２のカードは、落ちにくいかもしれない。これは取り付けを容易にする。
【００１８】
一実装において、絶縁体は着脱可能に金属ドームに接続される。弾性コンポーネントも、カードトレイから取り外されてよい。これは絶縁体又は弾性コンポーネントの取り外し及び交換を容易にする。
【００１９】
一実装において、限定スロットは絶縁体と受け板との間に形成され、限定スロットは第１のカードの縁及び／又は第２のカードの縁の拡張に用いられる。このように、第１のカードの縁部分及び／又は第２のカードの縁部分は固定されてよい。
【００２０】
一実装において、絶縁体の材料は、弾性であり、第１のカードの縁及び／又は第２のカードの縁が限定スロットに延在するとき、絶縁体は、弾性的に変形し、第１のカードの縁及び／又は第２のカードの縁を固定する。このように、絶縁体は、第１のカードの縁及び／又は第２のカードの縁をよく固定し、第１のカード及び／又は第２のカードの周りの及び前の縁部分に当接し、それにより、第１のカード及び／又は第２のカードが落ちることを防ぐのに用いられ得る。
【００２１】
一実装において、ノッチは、絶縁フレーム上に配置され、ノッチ及び弾性コンポーネントは受け板の２つの対向する側に向かい合って配置され、絶縁フレームは受け板を囲むことで収容領域を形成し、ノッチは、収容領域とカードトレイの外部スペースとを相互接続するのに用いられる。ユーザは、ノッチを介して第１のカード及び／又は第２のカードを取り外す又は置くことで、ユーザエクスペリエンスを向上させ得る。
【００２２】
本発明はさらに、回路基板と、カードホルダであって、カードホルダ上のカードコネクタは回路基板に電気的に接続される、カードホルダとを含む端末デバイスを提供する。
【００２３】
本発明の複数の実施形態におけるカードコネクタとカードホルダの実施を通じて、第１のカード及び第２のカードは、カスケード方式で配置され、カードトレイ上に取り付けられ、端末デバイス内に配置される。カスケードされた第１のカード及び第２のカードは、カードコネクタ及びカードホルダにより占有された端末デバイスの内部スペースを大幅に減らし得、それにより端末デバイスの軽量化及び薄化並びに端末デバイスの統合度の向上を容易にする。加えて、既存のＮａｎｏＳＩＭカードと同一サイズのメモリカードは、さらに本発明の複数の実施形態で提供されるカードコネクタ上に取り付けられてよい。このように、たとえＮａｎｏＳＩＭカード及びメモリカードが取り付けられても、カードコネクタ及びカードホルダに占有されるプレート領域は、この要件により増えない。したがって、カードコネクタ及びカードホルダが適用される端末デバイス内のより多くの内部スペースは、他の構成要素のために削減されることが可能であり、又は携帯電話はさらに軽量化及び薄化されることが可能である。
【図面の簡単な説明】
【００２４】
より明確に本発明の複数の実施形態の中又は背景技術の中の技術的解決手段を説明するために、以下では、本発明の複数の実施形態又は背景技術を説明するのに必要な添付図面を簡潔に説明する。
【００２５】
【図１】本発明の一実施形態に係るカードコネクタの３次元構造の概略図である。
【００２６】
【図２】図１内のカードコネクタの概略平面図である。
【００２７】
【図２ａ】本発明の一実施形態に係るカードコネクタの第１のカードアクセス領域の概略図であり、ここで破線は第１のカードを示す。
【００２８】
【図２ｂ】本発明の一実施形態に係るカードコネクタの第２のカードアクセス領域の概略図であり、ここで破線は第２のカードを示す。
【００２９】
【図３】本発明の一実施形態に係るＮＭカードの概略図である。
【００３０】
【図４】本発明の一実施形態に係る他のカードコネクタの３次元構造の概略図である。
【００３１】
【図５】図４内のカードコネクタの概略平面図である。
【００３２】
【図５ａ】本発明の一実施形態に係るカードコネクタの第１のカードアクセス領域の概略図であり、ここで破線は第１のカードを示す。
【００３３】
【図５ｂ】本発明の一実施形態に係るカードコネクタの第２のカードアクセス領域の概略図であり、ここで破線は第２のカードを示す。
【００３４】
【図６】本発明の一実施形態に係るカードホルダの概略構造図である。
【図７】本発明の一実施形態に係るカードホルダの概略構造図である。
【００３５】
【図８】本発明の一実施形態に係るカードホルダの内部構造の概略図である。
【００３６】
【図９ａ】本発明の一実施形態に係るカードトレイの概略構造図である。
【００３７】
【図９ｂ】本発明の一実施形態に係るカードトレイの３次元概略図である。
【００３８】
【図９ｃ】本発明の一実施形態に係るカードトレイの断面図である。
【図９ｄ】本発明の一実施形態に係るカードトレイの断面図である。
【００３９】
【図９ｅ】本発明の一実施形態に係るカードトレイの分析図である。
【００４０】
【図１０】本発明の一実施形態に係るカードホルダの断面チャートである。
【００４１】
【図１１】本発明の一実施形態に係る端末デバイスの概略図である。
【発明を実施するための形態】
【００４２】
以下は本願の実施形態内の添付図面を参照して、本発明の複数の実施形態を説明する。
【００４３】
図１は、本発明の一実施形態に係るカードコネクタの３次元構造の概略図であり、図２は図１内のカードコネクタの概略平面図である。本願で提供されるカードコネクタ１００は、２つの異なるタイプの電子カードと適合し得、電子カードは、データカード若しくは加入者識別モジュールカード（ＳＩＭカード）であってよく、又はメモリカードであってよい。ＮａｎｏＳＩＭカード又はＮａｎｏＳＩＭと同一サイズであるＮＭ（ｎａｎｏ  ｍｅｍｏｒｙ）カードは、実施形態内で提供され、且つ端末デバイスに適用可能なカードコネクタ１００上に置かれてよい。ＮＭカードは、製造者によりＮａｎｏＳＩＭカードのサイズに基づいて作られ、且つＮａｎｏＳＩＭカードスロット内に収容され得るカスタマイズされたメモリカードであってよく、ＮＭカードのサイズはＮａｎｏＳＩＭカードのサイズと近似又は同一であってよい。端末デバイスが、カードコネクタ及びＮａｎｏＳＩＭカード又はＮＭカードを用いる必要がある端末デバイス、例えば携帯電話若しくはタブレットコンピュータであってよいことを理解されたい。理解を容易にするために、本願では、より広く用いられる携帯電話を、理解を手助けするための例として用いる。
【００４４】
図１から図２ｂを参照すると、一実装において、カードコネクタ１００は、複数の第１の端子１１０及び１つ又は複数の第２の端子１２０を含む。複数の第１の端子１１０は第１のカードアクセス領域１１５を形成するように配置され、第１のカードアクセス領域１１５は、第１のカードを取り付けるのに用いられ、複数の第１の端子１１０は、第１のカードに電気的に接続されるように構成される。1つ又は複数の第２の端子１２０は第１のカードアクセス領域の周囲に割り振られ、複数の第１の端子１１０及び1つ又は複数の第２の端子１２０は、共同で第２のカードアクセス領域１２５を形成し、第２のカードアクセス領域１２５は第２のカードを取り付けるのに用いられ、第１の端子１１０及び第２の端子１２０は、全て第２のカードに電気的に接続されるように構成される。第２のカードと、第１の端子１１０及び第２の端子１２０との電気的接続関係は、データ送信機能又は信号送信機能を持つ接続関係である。第２のカードがカードコネクタ１００上に取り付けられるとき、端末デバイス内の回路は第１の端子１１０及び第２の端子１２０を用いて第２のカードのデータ（又は信号）を収集することで、さらに第２のカードのアクセスを判断する。第１の端子１１０が第１のカードに電気的に接続されることはまた、データ送信機能又は信号送信機能を持つ接続関係を指す。第１のカードがカードコネクタ１００上に取り付けられるとき、端末デバイス内の回路は、第１の端子１１０を用いて第１のカードのデータ（又は信号）を収集することで、さらに第１のカードのアクセスを判断する。第１のカードがカードコネクタ１００上に取り付けられるとき、第１のカードのチップピンは、物理的に第２の端子１２０と接触し得る。しかしながら、この場合、端末デバイス内の回路は、第２の端子１２０を用いて、いかなるデータ（又は信号）も収集することができず、第２の端子１２０は第２のカードのデータ（又は信号）を収集するように構成され得るのみである。
【００４５】
具体的な実施において、６つの第１の端子１１０が存在してよく、第１のカードはＮａｎｏＳＩＭカードであってよく、複数の第１の端子１１０はそれぞれＮａｎｏＳＩＭカードのチップピンに対応する。他の実施において、６つより多い又は少ない第１の端子１１０が存在してよい。第１の端子１１０の数は、本願では限定されるものではなく、第１の端子１１０の数は異なるタイプのカードに基づいて調整されてよい。第２のカードアクセス領域１２５が第１のカードアクセス領域１１５を含むことが理解され得る。具体的な実施において、第２のカードはＮＭカードであってよく、ＮＭカードは８つのチップピンを含んでよく、２つの第２の端子１２０が存在してもよく、ＮＭカードは電気的に６つの第１の端子１１０及び２つの第２の端子１２０に電気的に接続される。
【００４６】
カードコネクタ１００は、第１の端子１１０及び第２の端子１２０を用いることで、ＮａｎｏＳＩＭカード及びＮＭカードの両方と適合し得る。言い換えれば、同一のカードコネクタ１００は、２つの異なるタイプの電子カードと適合し得、その結果、カードコネクタ１００の機能は拡張される。カードコネクタが端末デバイスに適用されるとき、端末デバイス内のスペースは節約され得る。例として携帯電話を用いる。カードコネクタ１００は携帯電話に適用される。したがって、より大きなスペースが他の構成要素のために節約され、その結果、携帯電話はさらに軽量化及び薄化され得る。
【００４７】
一実装において、カードコネクタ１００は、さらに絶縁物体１３０を含み、第１の端子１１０又は第２の端子１２０は導電性材料を用い、複数の第１の端子１１０及び少なくとも１つの第２の端子１２０は、絶縁物体１３０を用いて配置及び分離される。各第１の端子１１０は、固定端部１１１及び弾性端部１１２を含む。固定端部１１１は、固定的に絶縁物体１３０に接続される。固定端部１１１は、物理的な接続を介して絶縁物体１３０に固定されてよい。例えば、クランピングホールは固定端部１１１上に配置され、クランピングポストは絶縁物体１３０上に配置され、固定端部は、クランピングポストとクランピングホールとの協働によって絶縁物体１３０に接続される。代替的に、固定端部１１１は、２種材料オールインワン射出成形を介して絶縁物体１３０に接続されてもよい。弾性端部１１２は、弾性的に絶縁物体１３０の表面に対して突出し、第１のカード又は第２のカードに当接するように構成される。弾性端部１１２は、ＮａｎｏＳＩＭカード又はＮＭカードのチップピンに当接するように具体的に構成されてよい。図２で示されるように、第１の方向において、固定端部１１１は、弾性端部１１２の前側又は裏側に位置し、１つ又は複数の第２の端子１２０は、第１のカードアクセス領域の前側及び／又は裏側に位置し、第１の方向は、第１のカード又は第２のカードの挿入方向に対し垂直である（詳しくは、図２を参照）。本実装において、第１のカード及び第２のカードは、横向きに挿入され、カードコネクタに電気的に接続される。横向きの挿入とは、第１のカード及び第２のカードが略矩形で、第１のカード及び第２のカードをカードコネクタに挿入するプロセスにおいて、第１のカード及び第２のカードの短辺の延伸方向が挿入方向と一致するということを意味する。一実装において、カードコネクタ１００上では、固定端部１１１は、およそカードコネクタ１００の中央部に位置し、突出する弾性端部１１２は、およそ中央部に対して２つの側に位置する。カードコネクタ１００の構造に基づき、複数の第１の端子１１０の弾性端部１１２は、既存のＮａｎｏＳＩＭカードのチップピンに対応し得、又はＮＭカードのチップピンに対応し得る。
【００４８】
図２で示されるように、一実装において、２つの第２の端子１２０が存在してよく、２つの第２の端子１２０は、第１のカードアクセス領域１１５の２つの側に割り振られ、第２のカード（ＮＭカード）のチップピンに対応することができる。当然ながら、１つ又は複数の第２の端子１２０が存在してよい。第２の端子１２０の数は、異なるカードのタイプ及びチップピン設計に基づいて変化してよい。
【００４９】
図２ａ及び図２ｂで示されるように、一実装において、第１のカード２１０及び第２のカード２２０の位置関係を強調するために、カードコネクタ１００のいくつかの構成要素は図示されていない。しかしながら、これは限定されるものではない。図２ａにおいて、破線部で表される構造は、第１のカード２１０の外形及び第１のカード２１０のピンの位置である。第１のカード２１０は６つのピンを持つ。図２ａで示される実施形態では、第１のカード２１０が横向きに挿入され、カードコネクタ１００と協働することがわかり得る。同様に、図２ｂにおいて、破線部で表される構造は第２のカード２２０の外形及び第２のカード２２０のピンの位置である。第２のカード２２０は８つのピンを持つ。図２ｂで示される実施形態では、第２のカード２２０が横向きに挿入され、カードコネクタ１００と協働することがわかり得る。
【００５０】
一実装において、各第２の端子１２０は連結端１２１及び当接端部１２２を含み、連結端１２１は固定的に絶縁物体１３０に接続され、当接端部１２２は弾性的に絶縁物体１３０の表面に対して突出し、また、第２のカードに当接するように構成される。絶縁物体１３０に対して、第２の端子１２０の当接端部１２２の弾性的に突出する方向は、第１の端子１１０の弾性端部１１２の弾性的に突出する方向と同一である。図２で示されるように、第１のカードアクセス領域１１５は略矩形で、２つの当接端部１２２はそれぞれ第１のカードアクセス領域１１５の２つの隣接する角部の周囲に位置する。第２の端子１２０は長尺帯状で延在し、第２の端子１２０の延伸方向はおよそ第１の方向に対し垂直である。このようにして、カードコネクタは第１のカード又は第２のカードのサイズ及びチップピンに対応する。
【００５１】
図３を参照すると、一実装において、ＮＭカードは、４つのデータピンＤ０からＤ４、接地ピンＧＮＤ、クロック信号ピンＣＬＫ、命令応答多重化ピンＣＭＤ、及び電力ピンＶＣＣを含む８つのピンを持つ。８つのピンは、それぞれカードコネクタ１００上の第１の端子１１０及び第２の端子１２０に電気的に接続される。
【００５２】
具体的には、ＮａｎｏＳＩＭカード又はＮＭカードの各チップピンが、カード表面の特定の領域を占有する必要があるため、ＮａｎｏＳＩＭカード又はＮＭカードのピンに電気的に接続されることができる端末のレイアウトは、ピンの位置に基づいてカードコネクタ１００に適用される。ＮａｎｏＳＩＭカードのサイズは標準化されている。これに基づき、ＮＭカードの２つのデータピンＤ２及びＤ３以外のピンはＮａｎｏＳＩＭカードのピンに対応する。ＮａｎｏＳＩＭカードの６つのチップピンに対応するＮＭカード上のチップピン（の表面積）が小さくなるとき、データピンＤ２及びＤ３は、ＮＭカード上の任意の領域に配置されてよい。図３は単なる例として用いられる。同様に、カードコネクタ１００の第２の端子１２０の位置も、データピンＤ２及びＤ３の位置に基づいて調整される。
【００５３】
さらに、第１のカードアクセス領域１１５は第１のカードを取り付けるのに用いられ、第２のカードアクセス領域１２５は第２のカードを取り付けるのに用いられる。しかしながら、第１のカードアクセス領域１１５は、第１のカード（ＮａｎｏＳＩＭカード）に当接する領域であり、第２のカードアクセス領域１２５は、第２のカード（ＮＭカード）に当接する領域であることを理解されたい。実際、ＮａｎｏＳＩＭカード及びＮＭカードは同一サイズであり、その結果、カードコネクタ１００はより高い互換性を持ち、また、ＮａｎｏＳＩＭカード及びＮＭカードの両方との互換性があり得る。
【００５４】
図４から図５ｂを参照すると、一実装において、カードコネクタ１００は別の実施状態を持つ。カードコネクタ１００は絶縁物体１３０を含み、第１の端子１１０又は第２の端子１２０は、導電性材料を用い、複数の第１の端子１１０及び少なくとも１つの第２の端子１２０は、絶縁物体１３０を用いて配置及び分離される。第１の端子１１０及び第２の端子１２０のそれぞれは、固定端部１１１及び弾性端部１１２を含み、固定端部１１１は固定的に絶縁物体１３０に接続され、弾性端部１１２は第１のカード又は第２のカードに当接するように構成され、弾性端部１１２は、ＮａｎｏＳＩＭカード又はＮＭカードのチップピンに当接するように具体的に構成されてよい。図５で示されるように、各端子に対して、第２の方向において、固定端部１１１は、弾性端部１１２の前側及び裏側に位置する。１つ又は複数の第２の端子１２０及び第１のカードアクセス領域１１５は、並んで配置され、第２の方向は、第１のカード又は第２のカードの挿入方向である。
【００５５】
一実装において、例えば、６つの第１の端子１１０が存在し、２つの第２の端子１２０が存在し、各第１の端子１１０又は第２の端子１２０は、２つの固定端部１１１を含み、２つの第２の端子１２０は、第１のカードアクセス領域１１５と同じ側に割り振られ、またカードコネクタ１００の縁と近い。これにより、第２の端子１２０の弾性端部１１２は、第２のカード（例えば、ＮＭカード）が取り付けられた後、第２のカードの対応するチップピンに当接し得る。
【００５６】
一実装において、図４で示されるように、複数の第１の端子１１０及び２つの第２の端子１２０が、全て長尺帯状に延在し、延伸方向は全て第２の方向である。その結果、第１の端子１１０及び第２の端子１２０が、第１のカード又は第２のカードに当接するだけの十分な弾性を持ち、また第１のカード又は第２のカードが抜かれた後に、第１の端子１１０及び第２の端子１２０の自然な弾性的突出状態を復元することができることを保証する。
【００５７】
具体的に、本実装では、第１の端子１１０は２×３アレイに配置される。言い換えれば、第１の端子１１０は２行及び３列に配置され、２つの第２の端子１２０はそれぞれ、第１の端子１１０の２行の片側に配置される。各行において、第２の端子１２０と隣接する第１の端子１１０との間の距離は、２つの隣接する第１の端子１１０間の距離よりも短い。
【００５８】
図５ａ及び図５ｂで示されるように、一実装において、第１のカード２１０及び第２のカード２２０の位置関係を強調するために、カードコネクタ１００のいくつかの構成要素は図示されていない。しかしながら、これは限定されるものではない。図５ａにおいて、破線部で表される構造は、第１のカード２１０の外形及び第１のカード２１０のピンの位置である。第１のカード２１０は６つのピンを持つ。図５ａで示される実施形態では、第１のカード２１０が縦向きに挿入され、カードコネクタ１００と協働することがわかり得る。同様に、図５ｂにおいて、破線部で表される構造は第２のカード２２０の外形及び第２のカード２２０のピンの位置である。第２のカード２２０は８つのピンを持つ。図５ｂで示される実施形態では、第２のカード２２０が縦向きに挿入され、カードコネクタ１００と協働することがわかり得る。
【００５９】
この実施形態での第１の方向及び第２の方向は、カードコネクタ１００の構造を理解する手助けのために定義された方向であることを理解されたい。図２ａ及び図２ｂで示されるように、第１の方向は第１のカード又は第２のカードの長辺の延伸方向であり、第１のカード又は第２のカードがカードコネクタに挿入される方向は第１の方向に対して垂直（又はおよそ垂直）であり、これは横向きカード挿入である。図５ａ及び図５ｂで示されるように、第２の方向は第１のカード又は第２のカードの長辺の延伸方向であり、挿入方向は第２の方向と同一であり、これは縦向きカード挿入である。
【００６０】
図６から図１０を参照すると、実施形態は、前述の実施形態におけるハウジング２００及びカードコネクタ１００を含む、カードホルダ１０を提供する。ハウジング２００は、収容スペースを形成するように包囲的に設計されており、カードコネクタ１００は収容スペース内に固定される。第１のカード２１０又は第２のカード２２０は収容スペース内に配置され得、またカードホルダ１０上のカードコネクタ１００に電気的に接続される。図６に示される実施形態では、１つのカードコネクタ１００のみがハウジング２００内に配置されてよく、又は２つのカードコネクタ１００は、カスケード方式で配置されてよい。１つのカードコネクタ１００のみがハウジング２００内に配置されるとき、カードホルダ１０は、依然として２枚のカードを同時に収容してよい。２枚のカードは、カスケード方式でカードトレイの２つの反対側に置かれる。１枚のカードはカードコネクタ１００と協働して用いられ、もう１枚のカードはカードホルダ内に収容されて、交換を介して用いられることになっている状態である。例えば、もう１枚のカードが用いられる必要があるとき、２枚のカードの位置は交換されてよい。２つのカスケードされたカードコネクタ１００が、図８に示されるように、ハウジング内に配置されるとき、２つのカードコネクタの端子は、向かい合って配置され、２枚のカードのチップピンは、それぞれカードコネクタの端子に向けて配向され、その結果、カードコネクタの端子に電気的に接続される。このように、２枚のカードは同時に用いられてよい。これはさらに以下の実施形態で説明される。
【００６１】
図７及び図８で示されるように、一実装において、例えば、２つのカードコネクタ１００は存在し、２つのカードコネクタ１００は、向かい合って配置され、２つのカードコネクタ１００の間には、スロットが形成され、挿入された第１のカード２１０及び／又は挿入された第２のカード２２０に電気的に接続されるべく、２つのカードコネクタ１００の第１の端子１１０及び第２の端子１２０は、全て弾性的にスロットに向かって突出する。加えて、２つのカードコネクタ１００は、スロットの異なる側に位置するため、挿入された第１のカード２１０及び／又は挿入された第２のカード２２０は、互いに干渉せず、その結果、第１のカード２１０及び／又は第２のカード２２０は互いに干渉することなく別々に動作することができる。さらに、第１のカード２１０及び第２のカード２２０は、カスケード方式で配置され、カードホルダ１０に占有される領域は、比較的大きく減らされ、占有領域は１つのＮａｎｏＳＩＭカードの表面積よりおよそ少し大きい（２つのＮａｎｏＳＩＭカードの表面積より大きくはない）。カードホルダ１０の厚みは少し増し、カードホルダ１０の厚みは、２つのＮａｎｏＳＩＭカードの厚みより少しある。占有領域を減らすことにより節約されるスペースは、厚みを増すことにより減されるスペースより、はるかに大きい。概して、２枚のカードを配置するのに必要なスペースは減らされ得、端末デバイスの統合度は向上し、結果として、より多くのスペースが節約される。したがって、端末デバイスは、より多くの機能又はより良いユーザエクスペリエンスを実施できる。
【００６２】
図７で示されるように、一実装において、第１のカード２１０及び第２のカード２２０は、スロット内に同時に取り付けられ得、また一対一の対応関係で２つのカードコネクタ１００に電気的に接続される。例えば、第１のカード２１０及び第２のカード２２０のチップピンは向かい合って配置される。
【００６３】
一実装において、カードホルダ１０はさらにカードトレイ２３０を含む。図９ａ及び図９ｂで示されるように、カードトレイ２３０はスロット内に取り付けられてよく、カードトレイ２３０は受け板２３１を含み、受け板２３１の前面及び後面の両方は第１のカード２１０及び／又は第２のカード２２０を受けるのに用いられ、受け板２３１は２つのカードコネクタ１００の間に配置される。
【００６４】
一実装において、第１のカード２１０及び／又は第２のカード２２０を受けるカードトレイ２３０がカードホルダ１０に挿入されることを保証するために、受け板２３１は十分に強固で割れにくく又は変形しにくくある必要がある。例えば、受け板２３１の材料は金属であってよい。
【００６５】
図９ａから図９ｄ及び図１０で示されるように、受け板２３１は、比較的高い剛性を持ち、容易に変形しない１つの金属であり、受け板２３１は導電性材料を用いるので、短絡などの障害であって、カードコネクタ１００上の第１の端子１１０又は第２の端子１２０が弾性的に突出し、且つ受け板２３１と接触することにより生じる、障害を防ぐために、第１の端子１１０又は第２の端子１２０との間隙２３２は受け板２３１上に配置され、間隙２３２は第１の端子１１０及び第２の端子１２０を回避するのに用いられる。図９ｂで示されるように、例えば、間隙２３２は第１の端子１１０及び第２の端子１２０を回避することができる。
【００６６】
図７、図９ａ及び図９ｂで示されるように、一実装において、カード（ＮａｎｏＳＩＭカード又はＮＭカード）は、カードトレイ２３０の２つの表面（すなわち受け板の２つの表面）のそれぞれの上に取り付けられてよく、２枚のカードはカスケード形態で取り付けられる。カードトレイ２３０の各表面は、受け板を包囲（完全包囲、半分包囲又は一部包囲であり得る）する絶縁フレーム２３５及び弾性コンポーネント２３６を含み、弾性コンポーネント２３６は、固定部２３６１及び弾性部２３６２を含み、固定部２３６１はカードトレイ２３０に固定され、弾性部２３６２は受け板２３１に延在し、弾性部２３６２は、金属ドーム２３６２ａと、金属ドーム２３６２ａに接続されており、第１のカード２１０及び／又は第２のカード２２０に当接するように構成される絶縁体２３６２ｂとを含む。具体的には、固定部２３６１は、絶縁フレーム２３５に固定されてよい。他の実施では、受け板２３１は縁部分を含んでよい。受け板２３１の縁部分は絶縁フレーム２３５に挿入され、その結果、受け板２３１は絶縁フレーム２３５に接続される。絶縁フレーム２３５が射出成形を介して受け板２３１を囲み、また受け板２３１の縁部分を覆い、その結果、固定部２３６１は受け板２３１の縁部分に固定され得ることが理解され得る。受け板２３１は金属材料を用い、固定部２３６１も金属材料を用いる場合がある。このように、固定部２３６１と受け板２３１の縁部分との接触を介して、受け板２３１はよりよく接地され、その結果、静電干渉は防がれる。
【００６７】
第１のカード２１０及び第２のカード２２０はカスケード方式で配置されるため、２枚のカード（２１０及び２２０）のうち少なくとも１枚は、２枚のカードが挿入される際の方向の問題に起因して、カードトレイ２３０から分離しやすい。第１のカード２１０及び／又は第２のカード２２０は、弾性コンポーネント２３６及び絶縁フレーム２３５の協働によって、クランプされ、その結果、第１のカード２１０及び第２のカード２２０はカードトレイ２３０によく固定され得る。たとえカードトレイ２３０が任意の方向に回転しても、第１のカード２１０又は第２のカード２２０は、落ちにくく、結果として、ユーザにとって第１のカード２１０及び／又は第２のカード２２０を取り付けることは、簡便である。
【００６８】
一実装において、絶縁体２３６２ｂは、取り外し可能な形態で金属ドーム２３６２ａに接続されてよい。この構造では、絶縁体２３６２ｂが、長期間使用により、ＮＭカード又はＮａｎｏＳＩＭカードを摩耗させ得るとき、古い絶縁体２３６２ｂは新しい絶縁体２３６２ｂと置換されてよい。加えて、端末デバイスがリサイクルされるとき、再資源業者にとって、絶縁体２３６２ｂを迅速に取り外すことは簡便であり、その結果、端末デバイスの構成要素の利用率を向上し、取り外しコストを低減させ得る。
【００６９】
一実装において、弾性コンポーネント２３６は、取り外し可能な形態でカードトレイ２３０に固定されてよい。この構造では、弾性部の弾性が、長期間使用により弱るとき、古い弾性コンポーネントは新しい弾性コンポーネントと置換されてよい。加えて、端末デバイスがリサイクルされるとき、再資源業者にとって、弾性コンポーネントを迅速に取り外すことは簡便であり、その結果、端末デバイスの構成要素の利用率を向上し、取り外しコストを低減させ得る。
【００７０】
図９ｃ及び図９ｄで示されるように、一実装において、限定スロット２３４は絶縁体２３６２ｂと受け板２３１との間に形成され、第１のカード２１０の縁及び／又は第２のカード２２０の縁は、限定スロット２３４にまで延在し、第１のカード２１０の縁部分及び／又は第２のカード２２０の縁部分は限定スロット２３４の縁に固定される。
【００７１】
一実装において、溝２３９はカードトレイ２３０上に配置され、弾性コンポーネント２３６は溝２３９内に収容される。カードトレイ２３０は挿入端部、すなわち、最初にスロットに挿入される端部を有することが理解され得る。溝２３９はカードトレイの挿入端部の反対側の端部に配置されてよい。固定孔２３６１ｂは、弾性コンポーネント２３６の固定部２３６１上に配置され、固定部２３６１は、固定ポスト２３６１ａ及び固定孔２３６１ｂの協働によって、カードトレイ２３０に固定される。固定ポスト２３６１ａは、固定部２３６１の一部とみなされてもよく、又は固定部２３６１及びカードトレイ２３０本体から独立した個別の構成要素（例えば、ねじ等の締結具）とみなされてもよい。代替的に、固定ポスト２３６１ａはカードトレイ２３０本体の一部とみなされてもよく、且つカードトレイ２３０と共に成形されてもよい。図９ｅは、例として用いられる。例えば、各弾性コンポーネント２３６上に２つの固定孔２３６１ｂが存在してもよく、２つの固定ポスト２３６１ａは固定孔２３６１ｂに対応するよう設計され、２つの弾性コンポーネント２３６であって、受け板２３１の２つの側に位置する第１のカード及び／又は第２のカードに、それぞれ当接するように構成される、２つの弾性コンポーネント２３６が存在する。固定ポスト２３６１ａは固定孔２３６１ｂに貫通し、カードトレイ２３０に弾性コンポーネント２３６を固定する。これにより、弾性部２３６２が第１のカード及び／又は第２のカードに当接するとき、固定部２３６１は、弾性部２３６２に対して強力なサポートを提供することができる。穴は、カードトレイ２３０上の固定ポスト２３６１ａに対応する位置に配置され、固定ポスト２３６１ａは、穴に貫通し、カードトレイの２つの側に弾性コンポーネント２３６を固定することが理解され得る。
【００７２】
一実装において、絶縁体２３６２ｂの材料は弾性である。第１のカード２１０の縁及び／又は第２のカード２２０の縁が限定スロット２３４に延在するとき、絶縁体２３６２ｂは弾性的に変形し、第１のカード２１０の縁及び／又は第２のカード２２０の縁を固定する。限定スロット２３４の高さは、第１のカード２１０の高さ及び／又は第２のカード２２０の高さよりわずかに小さい。図９ｃで示されるように、第１のカード２１０は、例として用いられ、限定スロット２３４の高さは、第１のカード２１０の高さよりわずかに小さい。しかしながら、絶縁体２３６２ｂは、弾性的に変形し、第１のカード２１０が限定スロット２３４内に組み込まれるのを可能にし得る。これにより、図９ｄに示されるように、絶縁体２３６２ｂは第１のカード２１０の縁をよく固定することと第１のカード２１０の周り及び前の縁部分に当接することとに用いられ得、結果として、第１のカード２１０が落ちるのを防ぐことができ、それにより、第１のカード２１０とカードコネクタ１００との間の電気的接続の安定性が向上する。
【００７３】
一実装において、ノッチ２３７は絶縁フレーム２３５上に配置され、ノッチ２３７及び弾性コンポーネント２３６は向かい合って受け板２３１の２つの反対側に配置され、絶縁フレーム２３５は受け板２３１を囲み、収容領域２３８を形成し、ノッチ２３７は、収容領域２３８とカードトレイ２３０の外部スペースとを相互接続するのに用いられる。任意選択的に、ノッチ２３７はカードトレイ２３０の挿入端部に配置される。ユーザは、ノッチ２３７を介して第１のカード２１０及び／又は第２のカード２２０を取り外す又は置くことでユーザエクスペリエンスを向上させ得る。
【００７４】
図１１を参照すると、実施形態はさらに端末デバイス１を提供する。端末デバイス１は、前述の実施形態における回路基板２０及びカードホルダ１０を含む。カードホルダ１０上のカードコネクタ１００は、回路基板に電気的に接続されることで、カードホルダ１０内に取り付けられる第１のカード２１０及び／又は第２のカード２２０を駆動する。第１のカード２１０は図１１内で示される。カードホルダ１０及び回路基板２０のカスケーディング関係は、理解のためのみに図１１内に示され、カードホルダ１０及び回路基板２０の層を制限することを意図していないことを理解されたい。
【００７５】
前述の説明は、単に本願の好ましい実施である。当業者は、本願の原理から逸脱することなく、あらゆる改良又は洗練を実行し得、その改良又は洗練は、本願の保護範囲に含まれることを留意されたい。
他の考えられる項目
［項目１］
複数の第１の端子と、１つ又は複数の第２の端子とを備えるカードコネクタであって、上記複数の第１の端子は、第１のカードアクセス領域を形成するよう配置され、上記第１のカードアクセス領域は、第１のカードを取り付けるのに用いられ、上記複数の第１の端子は、上記第１のカードに電気的に接続されるように構成され、上記１つ又は複数の第２の端子は、上記第１のカードアクセス領域の周囲に割り振られ、上記複数の第１の端子及び上記１つ又は複数の第２の端子は、共同で第２のカードアクセス領域を形成し、上記第２のカードアクセス領域は、第２のカードを取り付けるのに用いられ、上記第１の端子及び上記第２の端子は、全て、上記第２のカードに電気的に接続されるように構成される、カードコネクタ。
［項目２］
上記カードコネクタは、さらに絶縁物体を備え、第１の端子のそれぞれは、固定端部及び弾性端部を有し、上記固定端部は固定的に上記絶縁物体に接続され、上記弾性端部は、弾性的に上記絶縁物体の表面に対して突出し、且つ上記第１のカード又は上記第２のカードに当接するように構成され、上記固定端部は、第１の方向において上記弾性端部の前側又は裏側に位置し、上記１つ又は複数の第２の端子は、上記第１の方向において上記第１のカードアクセス領域の前側及び／又は裏側に位置し、上記第１の方向は上記第１のカード又は上記第２のカードの挿入方向に垂直である、項目１に記載のカードコネクタ。
［項目３］
２つの第２の端子が存在し、上記２つの第２の端子は、上記第１のカードアクセス領域の２つの側に割り振られる、項目２に記載のカードコネクタ。
［項目４］
各第２の端子は、連結端及び当接端部を有し、上記連結端は、固定的に上記絶縁物体に接続され、上記当接端部は、弾性的に上記絶縁物体の上記表面に対して突出し、且つ上記第２のカードに当接するように構成され、上記第１のカードアクセス領域は矩形で、２つの上記当接端部は、それぞれ上記第１のカードアクセス領域の２つの隣接する角部の周囲に位置する、項目３に記載のカードコネクタ。
［項目５］
上記カードコネクタは、さらに絶縁物体を備え、各第１の端子は、固定端部及び弾性端部を有し、上記固定端部は固定的に上記絶縁物体に接続され、上記弾性端部は、弾性的に上記絶縁物体の表面に対して突出し、且つ上記第１のカード又は上記第２のカードに当接するように構成され、上記固定端部は、第２の方向において上記弾性端部の前側又は裏側に位置し、上記１つ又は複数の第２の端子及び上記第１のカードアクセス領域は、上記第２の方向において並んで配置され、上記第２の方向は、上記第１のカード又は上記第２のカードの挿入方向である、項目１に記載のカードコネクタ。
［項目６］
２つの第２の端子が存在し、上記２つの第２の端子は、上記第１のカードアクセス領域の同じ側に割り振られる、項目５に記載のカードコネクタ。
［項目７］
ハウジングと、項目１から６のいずれか一項に記載の少なくとも１つのカードコネクタとを備えるカードホルダであって、収容スペースは、上記ハウジング内に配置され、上記カードコネクタは、上記収容スペース内に固定される、カードホルダ。
［項目８］
２つのカードコネクタが存在し、上記２つのカードコネクタは、向かい合って配置され、上記２つのカードコネクタの間には、スロットが形成され、上記２つのカードコネクタの上記第１の端子及び上記第２の端子は、全て弾性的に上記スロットに向かって突出し、上記第１のカード及び上記第２のカードは、同時に上記スロット内に取り付けられ得、且つ一対一の対応関係で上記２つのカードコネクタに電気的に接続される、項目７に記載のカードホルダ。
［項目９］
上記カードホルダはさらにカードトレイを備え、上記カードトレイは受け板を有し、上記受け板の前面及び後面の両方は、上記第１のカード及び／又は上記第２のカードを受けるのに用いられ、上記受け板は、上記カードトレイが上記スロットに挿入されるとき、カスケード方式で上記２つのカードコネクタの間に配置され、上記受け板には間隙が配置され、上記間隙は上記第１の端子及び上記第２の端子を回避するのに用いられる、項目８に記載のカードホルダ。
［項目１０］
上記受け板は、金属材料を用いる、項目９に記載のカードホルダ。
［項目１１］
上記カードトレイはさらに、上記受け板を囲む絶縁フレームと、弾性コンポーネントとを有し、上記弾性コンポーネントは、固定部及び弾性部を含み、上記固定部は、上記カードトレイに固定され、上記弾性部は、上記受け板に延在し、上記弾性部は金属ドームと、上記金属ドームに接続され、且つ上記第１のカード及び／又は上記第２のカードに当接するように構成される絶縁体とを有する、項目９に記載のカードホルダ。
［項目１２］
上記絶縁体は、着脱可能に上記金属ドームに接続される、項目１１に記載のカードホルダ。
［項目１３］
上記絶縁体と上記受け板との間に、限定スロットが形成され、上記限定スロットは、上記第１のカードの縁及び／又は上記第２のカードの縁の拡張に用いられる、項目１１に記載のカードホルダ。
［項目１４］
上記絶縁体の材料は弾性であり、上記第１のカードの上記縁及び／又は上記第２のカードの上記縁が上記限定スロットに延在するとき、上記絶縁体は弾性的に変形し、上記第１のカードの上記縁及び／又は上記第２のカードの上記縁を固定する、項目１３に記載のカードホルダ。
［項目１５］
上記絶縁フレーム上に、ノッチが配置され、上記ノッチ及び上記弾性コンポーネントは、上記受け板の２つの反対側に向かい合って配置され、上記絶縁フレームは、上記受け板を囲むことで、収容領域を形成し、上記ノッチは、上記収容領域と上記カードトレイの外部スペースとを相互接続するのに用いられる、項目１１に記載のカードホルダ。
［項目１６］
回路基板と、項目７から１５のいずれか一項に記載のカードホルダとを備える端末デバイスであって、上記カードホルダ上の上記カードコネクタは、上記回路基板に電気的に接続される、端末デバイス。
【図１】
2022502824.tif 000003
【図２】
2022502824.tif 000004
【図２ａ】
2022502824.tif 000005
【図２ｂ】
2022502824.tif 000006
【図３】
2022502824.tif 000007
【図４】
2022502824.tif 000008
【図５】
2022502824.tif 000009
【図５ａ】
2022502824.tif 000010
【図５ｂ】
2022502824.tif 000011
【図６】
2022502824.tif 000012
【図７】
2022502824.tif 000013
【図８】
2022502824.tif 000014
【図９ａ】
2022502824.tif 000015
【図９ｂ】
2022502824.tif 000016
【図９ｃ】
2022502824.tif 000017
【図９ｄ】
2022502824.tif 000018
【図９ｅ】
2022502824.tif 000019
【図１０】
2022502824.tif 000020
【図１１】
2022502824.tif 000021
【国際調査報告】
2022502824.tif 000022
2022502824.tif 000023
2022502824.tif 000024
2022502824.tif 000025